(57)【要約】ペンタフルオロプロペン（ＨＦＯ−１２２５）と、３，３，３−トリフルオロプロペン（ＨＦＯ−１２４３ｚｆ）、１，１−ジフルオロエタン（ＨＦＣ−１５２ａ）、トランス−１，３，３，３−テトラフルオロプロペン（ＨＦＯ−１２３４ｚｅ）およびそれらの２つ以上の組み合わせよりなる群から選択される流体とを含む共沸様組成物を提供する。また、冷媒、発泡剤としてのそれらの使用も提供する。【特許請求の範囲】
【請求項１】
０より多く約９９重量％までのＨＦＯ−１２２５と、約１重量％から１００重量％未満のＨＦＯ−１２４３ｚｆ、ＨＦＣ−１５２ａ、ＨＦＯ−１２３４ｚｅおよびそれらの２つ以上の組み合わせよりなる群から選択される流体とを含む共沸様組成物。
【請求項２】
０より多く約７５重量％までのＨＦＯ−１２２５と、約２５重量％から１００重量％未満のＨＦＯ−１２４３ｚｆ、ＨＦＣ−１５２ａ、ＨＦＯ−１２３４ｚｅおよびそれらの２つ以上の組み合わせよりなる群から選択される流体とを含む、請求項１に記載の共沸様組成物。
【請求項３】
約５重量％から約９０重量％までのＨＦＯ−１２２５と、約１０重量％から約９０重量％までのＨＦＯ−１２４３ｚｆ、ＨＦＣ−１５２ａ、ＨＦＯ−１２３４ｚｅおよびそれらの２つ以上の組み合わせよりなる群から選択される流体とを含む、請求項１に記載の共沸様組成物。
【請求項４】
共沸様組成物が約１４ｐｓｉａで約−１８℃〜約−２８℃の沸点を有する、請求項１に記載の共沸様組成物。
【請求項５】
共沸様組成物が約１４ｐｓｉａで約−２２℃〜約−２８℃の沸点を有する、請求項１に記載の共沸様組成物。
【請求項６】
共沸様組成物が約１４ｐｓｉａで約−２１℃〜約−２６℃の沸点を有する、請求項１に記載の共沸様組成物。
【請求項７】
共沸様組成物が約１４ｐｓｉａで約−２０℃±２℃の沸点を有する、請求項４に記載の共沸様組成物。
【請求項８】
０より多く約５０重量％までのＨＦＯ−１２２５および約５０重量％から１００重量％未満のＨＦＯ−１２４３ｚｆを含む、請求項５に記載の共沸様組成物。
【請求項９】
０より多く約２５重量％までのＨＦＯ−１２２５および約７５重量％から１００重量％未満のＨＦＯ−１２４３ｚｆを含む、請求項８に記載の共沸様組成物。
【請求項１０】
約１重量％から約２０重量％までのＨＦＯ−１２２５および約８０重量％から約９９重量％までのＨＦＯ−１２４３ｚｆを含む、請求項９に記載の共沸様組成物。
【請求項１１】
共沸様組成物が約１４．４ｐｓｉａで約−２４℃〜約−２８℃の沸点を有する、請求項８に記載の共沸様組成物。
【請求項１２】
共沸様組成物が約１４ｐｓｉａで約−２３℃〜約−２７℃の沸点を有する、請求項８に記載の共沸様組成物。
【請求項１３】
０より多く約５０重量％までのＨＦＯ−１２２５ｙｅおよび約５０重量％から１００重量％未満のＨＦＯ−１２４３ｚｆを含む、請求項１１に記載の共沸様組成物。
【請求項１４】
０より多く約２５重量％までのＨＦＯ−１２２５ｙｅおよび約７５重量％から１００重量％未満のＨＦＯ−１２４３ｚｆを含む、請求項１３に記載の共沸様組成物。
【請求項１５】
約１重量％から約２０重量％までのＨＦＯ−１２２５ｙｅおよび約８０重量％から約９９重量％までのＨＦＯ−１２４３ｚｆを含む、請求項１４に記載の共沸様組成物。
【請求項１６】
約１重量％から約１５重量％までのＨＦＯ−１２２５ｙｅおよび約８５重量％から約９９重量％までのＨＦＯ−１２４３ｚｆを含む、請求項１５に記載の共沸様組成物。
【請求項１７】
ＨＦＯ−１２２５ｙｅがＺ−ＨＦＯ−１２２５ｙｅを含む、請求項１３に記載の共沸様組成物。
【請求項１８】
ＨＦＯ−１２２５ｙｅがＺ−ＨＦＯ−１２２５ｙｅを含む、請求項１５に記載の共沸様組成物。
【請求項１９】
共沸様組成物が約１４．４ｐｓｉａで約−２６℃〜約−２８℃の沸点を有する、請求項１８に記載の共沸様組成物。
【請求項２０】
ＨＦＯ−１２２５ｙｅがＥ−ＨＦＯ−１２２５ｙｅを含む、請求項１３に記載の共沸様組成物。
【請求項２１】
ＨＦＯ−１２２５ｙｅがＥ−ＨＦＯ−１２２５ｙｅを含む、請求項１５に記載の共沸様組成物。
【請求項２２】
共沸様組成物が約１４．４ｐｓｉａで約−２６℃〜約−２８℃の沸点を有する、請求項２１に記載の共沸様組成物。
【請求項２３】
ＨＦＯ−１２２５ｙｅがＥ／Ｚ−ＨＦＯ−１２２５ｙｅを含む、請求項１３に記載の共沸様組成物。
【請求項２４】
ＨＦＯ−１２２５ｙｅがＥ／Ｚ−ＨＦＯ−１２２５ｙｅを含む、請求項１５に記載の共沸様組成物。
【請求項２５】
共沸様組成物が約１４．４ｐｓｉａで約−２６℃〜約−２８℃の沸点を有する、請求項２４に記載の共沸様組成物。
【請求項２６】
０より多く約５０重量％までのＨＦＯ−１２２５ｚｃおよび約５０重量％から１００重量％未満のＨＦＯ−１２４３ｚｆを含む、請求項１２に記載の共沸様組成物。
【請求項２７】
０より多く約４０重量％までのＨＦＯ−１２２５ｚｃおよび約６０重量％から１００重量％未満のＨＦＯ−１２４３ｚｆを含む、請求項２６に記載の共沸様組成物。
【請求項２８】
約１重量％から約２０重量％までのＨＦＯ−１２２５ｚｃおよび約８０重量％から約９９重量％までのＨＦＯ−１２４３ｚｆを含む、請求項２７に記載の共沸様組成物。
【請求項２９】
共沸様組成物が約１４ｐｓｉａで約−２４℃〜約−２６℃の沸点を有する、請求項２８に記載の共沸様組成物。
【請求項３０】
０より多く約９９重量％までのＨＦＯ−１２２５および約１重量％から１００重量％未満のＨＦＣ−１５２ａを含む、請求項６に記載の共沸様組成物。
【請求項３１】
０より多く約７５重量％までのＨＦＯ−１２２５および約２５重量％から１００重量％未満のＨＦＣ−１５２ａを含む、請求項３０に記載の共沸様組成物。
【請求項３２】
約１重量％から約２０重量％までのＨＦＯ−１２２５および約８０重量％から約９９重量％までのＨＦＣ−１５２ａを含む、請求項３１に記載の共沸様組成物。
【請求項３３】
共沸様組成物が約１４ｐｓｉａで約−２３℃±２℃の沸点を有する、請求項３０に記載の共沸様組成物。
【請求項３４】
０より多く約７５重量％までのＨＦＯ−１２２５ｙｅおよび約２５重量％から１００重量％未満のＨＦＣ−１５２ａを含む、請求項３３に記載の共沸様組成物。
【請求項３５】
０より多く約６０重量％までのＨＦＯ−１２２５ｙｅおよび約４０重量％から１００重量％未満のＨＦＣ−１５２ａを含む、請求項３４に記載の共沸様組成物。
【請求項３６】
０より多く約４０重量％までのＨＦＯ−１２２５ｙｅおよび約６０重量％から１００重量％未満のＨＦＣ−１５２ａを含む、請求項３５に記載の共沸様組成物。
【請求項３７】
約１重量％から約２５重量％までのＨＦＯ−１２２５ｙｅおよび約７５重量％から約９９重量％までのＨＦＣ−１５２ａを含む、請求項３６に記載の共沸様組成物。
【請求項３８】
ＨＦＯ−１２２５ｙｅがＺ−ＨＦＯ−１２２５ｙｅを含む、請求項３４に記載の共沸様組成物。
【請求項３９】
ＨＦＯ−１２２５ｙｅがＺ−ＨＦＯ−１２２５ｙｅを含む、請求項３６に記載の共沸様組成物。
【請求項４０】
共沸様組成物が約１４ｐｓｉａで約−２３℃±２℃の沸点を有する、請求項３９に記載の共沸様組成物。
【請求項４１】
ＨＦＯ−１２２５ｙｅがＥ−ＨＦＯ−１２２５ｙｅを含む、請求項３４に記載の共沸様組成物。
【請求項４２】
ＨＦＯ−１２２５ｙｅがＥ−ＨＦＯ−１２２５ｙｅを含む、請求項３６に記載の共沸様組成物。
【請求項４３】
共沸様組成物が約１４ｐｓｉａで約−２３℃±２℃の沸点を有する、請求項４２に記載の共沸様組成物。
【請求項４４】
ＨＦＯ−１２２５ｙｅがＥ／Ｚ−ＨＦＯ−１２２５ｙｅを含む、請求項３４に記載の共沸様組成物。
【請求項４５】
ＨＦＯ−１２２５ｙｅがＥ／Ｚ−ＨＦＯ−１２２５ｙｅを含む、請求項３６に記載の共沸様組成物。
【請求項４６】
共沸様組成物が約１４．４ｐｓｉａで約−２６℃〜約−２８℃の沸点を有する、請求項４５に記載の共沸様組成物。
【請求項４７】
共沸様組成物が約１４ｐｓｉａで約−２４℃±２℃の沸点を有する、請求項３０に記載の共沸様組成物。
【請求項４８】
約１０重量％から約９９重量％までのＨＦＯ−１２２５ｚｃおよび約１重量％から９０重量％までのＨＦＣ−１５２ａを含む、請求項４７に記載の共沸様組成物。
【請求項４９】
約１０重量％から約６０重量％までのＨＦＯ−１２２５ｚｃおよび約４０重量％から９０重量％までのＨＦＣ−１５２ａを含む、請求項４８に記載の共沸様組成物。
【請求項５０】
約１０重量％から約５０重量％までのＨＦＯ−１２２５ｚｃおよび約５０重量％から９０重量％までのＨＦＣ−１５２ａを含む、請求項４９に記載の共沸様組成物。
【請求項５１】
約１重量％から約９９重量％までのＨＦＯ−１２２５および約１重量％から約９９重量％までのＨＦＯ−１２３４ｚｅを含む、請求項７に記載の共沸様組成物。
【請求項５２】
約２５重量％から約９９重量％までのＨＦＯ−１２２５および約１重量％から７５重量％までのＨＦＯ−１２３４ｚｅを含む、請求項５１に記載の共沸様組成物。
【請求項５３】
約５０重量％から約９０重量％までのＨＦＯ−１２２５および約１０重量％から５０重量％までのＨＦＯ−１２３４ｚｅを含む、請求項５２に記載の共沸様組成物。
【請求項５４】
ＨＦＯ−１２２５がＨＦＯ−１２２５ｙｅである、請求項５１に記載の共沸様組成物。
【請求項５５】
ＨＦＯ−１２２５ｙｅがＺ−ＨＦＯ−１２２５ｙｅを含む、請求項５４に記載の共沸様組成物。
【請求項５６】
ＨＦＯ−１２２５ｙｅがＥ−ＨＦＯ−１２２５ｙｅを含む、請求項５４に記載の共沸様組成物。
【請求項５７】
ＨＦＯ−１２２５ｙｅがＥ／Ｚ−ＨＦＯ−１２２５ｙｅを含む、請求項５４に記載の共沸様組成物。
【請求項５８】
ＨＦＯ−１２２５がＨＦＯ−１２２５ｙｃである、請求項１に記載の共沸様組成物。
【請求項５９】
請求項１に記載の共沸様組成物を含む冷媒組成物。
【請求項６０】
請求項５９に記載の冷媒を含む冷凍系。
【請求項６１】
冷却すべき物品の近くで請求項５７に記載の冷媒組成物を蒸発させることを含む、物品を冷却するための方法。
【請求項６２】
加熱すべき物品の近くで請求項５９に記載の冷媒組成物を凝縮させることを含む、物品を加熱するための方法。
【請求項６３】
噴霧すべき物質、および請求項１に記載の共沸様組成物を含む噴射剤を含む、噴霧可能な組成物。
【請求項６４】
請求項１に記載の共沸様組成物を含む発泡剤。
【請求項６５】
請求項１に記載の共沸様組成物を含む発泡剤の存在下で発泡性組成物を発泡させることによって製造される、独立気泡フォーム。
【請求項６６】
発泡性組成物が、ポリウレタン、ポリイソシアヌレート、ポリスチレン、ポリエチレン、およびそれらの混合物を含む、請求項６５に記載の独立気泡フォーム。
【請求項６７】
請求項１に記載の共沸様組成物を流体に加えることを含む、流体の引火性を低減する方法。
【請求項６８】
火炎を、請求項１に記載の共沸様組成物を含む流体と接触させることを含む、火炎を抑制する方法。
【請求項６９】
滅菌すべき物品を請求項１に記載の共沸様組成物を含む組成物と接触させることを含む、物品を滅菌する方法。
【請求項７０】
組成物が酸化エチレンをさらに含む、請求項６９に記載の方法。
【請求項７１】
発泡性組成物に、請求項１に記載の共沸様組成物を含む発泡剤を加えることを含む、発泡体を形成する方法。
【請求項７２】
発泡剤が請求項１に記載の共沸様組成物を含む、ポリオールおよび発泡剤のプレミックス。
【発明の詳細な説明】
【発明の開示】
【０００１】
発明の分野
本発明は、一般にペンタフルオロプロペンの組成物に関する。さらに詳しくは、本発明は、ペンタフルオロプロペンを含む共沸様組成物およびそれらの使用を提供する。
【０００２】
背景
フルオロカーボンに基づく流体は、工業界において、冷媒、エアゾール噴射剤、発泡剤、熱伝導媒体、および気体誘電体を含む多くの用途において広範囲に及ぶ使用が見出されてきた。これらの流体のうちいくつかの使用に関連して起こりうる環境問題のために、オゾン層破壊の可能性が低いかまたはゼロである流体、例えばハイドロフルオロカーボン（ＨＦＣ）を用いることが望ましい。したがって、クロロフルオロカーボン（ＣＦＣ）またはハイドロクロロフルオロカーボン（ＨＣＦＣ）を含有しない流体の使用が望ましい。さらに、沸騰および蒸発時に分別されない単一成分の流体または共沸混合物の使用が望ましい。しかしながら、共沸混合物の形成を容易に予測できないという事実により、新しく、環境的に安全で、非分別性の混合物の識別は複雑である。
【０００３】
工業界では、ＣＦＣおよびＨＣＦＣの代替物を提供し、かつ環境により安全なＣＦＣおよびＨＣＦＣの代替品と考えられる、新しいフルオロカーボンに基づく混合物が絶えず求められている。特に関心がもたれているものは、オゾン層破壊の可能性が少なく／地球温暖化の可能性の低いハイドロフルオロカーボンを含有する混合物である。そのような混合物が本発明の主題である。
【０００４】
好ましい態様の説明
本発明者らは、ＣＦＣおよびＨＣＦＣの代替品に対する絶え間ない必要性を満たす助けとなる組成物を開発した。特定の態様において、本発明は、ペンタフルオロプロペン（ＨＦＯ−１２２５）と、３，３，３−トリフルオロプロペン（ＨＦＯ−１２４３ｚｆ）、１，１−ジフルオロエタン（ＨＦＣ−１５２ａ）、トランス−１，３，３，３−テトラフルオロプロペン（ＨＦＯ−１２３４ｚｅ）およびそれらの２つ以上の組み合わせよりなる群から選択される流体とを含むか、または本質的にこれらからなる共沸様組成物を提供する。したがって、本発明は、ＣＦＣおよびＨＣＦＣを実質的に含まず、かつ比較的一定の沸点および蒸気圧特性を示す共沸様組成物を提供することによって、上記の欠点を解消するものである。
【０００５】
本明細書中で用いるように、ペンタフルオロプロペンに対する「ＨＦＯ−１２２５」という用語は、ペンタフルオロプロペンのすべての異性体、例えば１，１，１，２，３−ペンタフルオロプロペン（ＨＦＯ−１２２５ｙｅ）、並びに１，１，１，３，３−ペンタフルオロプロペン（ＨＦＯ−１２２５ｚｃ）および１，１，２，３，３−ペンタフルオロプロペン（ＨＦＯ−１２２５ｙｃ）のＥ−およびＺ−異性体を指し、これらを包含する。
【０００６】
本明細書中で用いるように、「共沸様」という用語は、広い意味で、厳密に共沸となる組成物と、共沸混合物のような挙動をする組成物の両方を含むと意図されている。基本的な原理から、流体の熱力学的状態は圧力、温度、液体組成、および蒸気組成によって定められる。共沸混合物は、液体組成および蒸気組成が定められた圧力および温度で等しい２つ以上の成分の系である。実際には、これは、共沸混合物の諸成分が一定の沸点で沸騰し（constant-boiling）、相変化の間に分離できないことを意味する。
【０００７】
共沸様組成物は、一定の沸点で沸騰するか、あるいは本質的に一定の沸点で沸騰する。換言すると、共沸様組成物の場合、沸騰または蒸発の間に形成される蒸気の組成はもとの液体組成と同一であるか、または実質的に同一である。したがって、沸騰または蒸発での、液体組成の変化はあったとしても極めて少ないか無視できる程度である。このことは、沸騰または蒸発の間に、液体組成が実質的な程度変化する非共沸様組成物とは対照的である。指示範囲内にある本発明のすべての共沸様組成物並びにこれら範囲外の特定の組成物は共沸様である。
【０００８】
本発明の共沸様組成物には、新たな共沸様系を形成しない追加成分、あるいは最初の蒸留カットにはない追加成分が含まれていてもよい。最初の蒸留カットは、蒸留カラムが全還流条件下で定常状態運転を示す後に採取される最初のカットである。ある成分の追加が本発明の範囲外であるような新しい共沸様系を形成するかどうかを決定する一つの方法は、非共沸混合物をその別個の成分に分離することが予想される条件下で、その成分を含む組成物の試料を蒸留することである。追加成分を含有する混合物が非共沸様であるならば、その追加成分は共沸様成分から分別される。混合物が共沸様であるならば、沸騰が一定であるか、あるいは単一物質として挙動する混合物成分すべてを含有する、いくらかの有限量の最初の蒸留カットが得られる。
【０００９】
このことから、共沸様組成物の別の特徴は、同じ成分を様々な割合で含有する、共沸様であるかまたは一定の沸点で沸騰する、一定の組成範囲があることだということが分かる。すべてのそのような組成物は、「共沸様」および「一定の沸点で沸騰する」という用語によりカバーされると意図されている。例として、異なる圧力では、所与の共沸混合物の組成は少なくともわずかに変化すること（組成物の沸点がそうであるように）はよく知られている。したがって、ＡとＢの共沸混合物は独特のタイプの関係を表すが、温度および／または圧力により組成が変化しうる。このことから、共沸様組成物の場合、同じ成分を様々な割合で含有する、共沸様である一定の範囲の組成があることが分かる。そのような組成物すべては、本明細書中で用いるように、共沸様という用語によりカバーされると意図されている。
【００１０】
特定の好ましい態様では、本発明は、ＨＦＯ−１２２５と、ＨＦＯ−１２４３ｚｆ、ＨＦＣ−１５２ａ、ＨＦＯ−１２３４ｚｅおよびそれらの２つ以上の組み合わせよりなる群から選択される流体とを含む、好ましくは本質的にこれらからなる、共沸様組成物を提供する。好ましくは、そのような共沸様組成物は、０より多く約９９重量％までのＨＦＯ−１２２５と、約１重量％から１００重量％未満のＨＦＯ−１２４３ｚｆ、ＨＦＣ−１５２ａ、ＨＦＯ−１２３４ｚｅおよびそれらの２つ以上の組み合わせよりなる群から選択される流体とを含み、好ましくは本質的にこれらからなる。より好ましくは、本発明の共沸様組成物は、約５重量％から約９０重量％までのＨＦＯ−１２２５と、約１０重量％から約９５重量％までのＨＦＯ−１２４３ｚｆ、ＨＦＣ−１５２ａ、ＨＦＯ−１２３４ｚｅおよびそれらの２つ以上の組み合わせよりなる群から選択される流体とを含み、好ましくは本質的にこれらからなる。他の好ましい組成物は、０より多く約７５重量％までのＨＦＯ−１２２５、および約２５重量％から１００重量％未満のＨＦＯ−１２４３ｚｆ、ＨＦＣ−１５２ａ、ＨＦＯ−１２３４ｚｅおよびそれらの２つ以上の組み合わせよりなる群から選択される流体を含むか、あるいは好ましくは本質的にこれらからなる。特定の他の好ましい本発明の組成物は、０より多く約２０重量％までのＨＦＯ−１２２５と、約８０重量％から１００重量％未満のＨＦＯ−１２４３ｚｆ、ＨＦＣ−１５２ａ、ＨＦＯ−１２３４ｚｅおよびそれらの２つ以上の組み合わせよりなる群から選択される流体とを含む。他の好ましい本発明の組成物は約４０重量％から約９０重量％までのＨＦＯ−１２２５と、約１０重量％から６０重量％までのＨＦＯ−１２４３ｚｆ、ＨＦＣ−１５２ａ、ＨＦＯ−１２３４ｚｅおよびそれらの２つ以上の組み合わせよりなる群から選択される流体とを含む。別の方法で示さない限り、本明細書中に記載の重量％はいずれも、共沸様組成物中のＨＦＯ−１２２５、並びに３，３，３−トリフルオロプロペン（ＨＦＯ−１２４３ｚｆ）、１，１−ジフルオロエタン（ＨＦＣ−１５２ａ）、トランス−１，３，３，３−テトラフルオロプロペン（ＨＦＯ−１２３４ｚｅ）およびそれらの２つ以上の組み合わせよりなる群から選択される流体の総重量に基づく。
【００１１】
特定の好ましい態様では、本発明のＨＦＯ−１２２５共沸様組成物は、約１４ｐｓｉａで、約−１８℃〜約−２８℃、より好ましくは約−２２℃〜約−２８℃、さらにより好ましくは約−２３℃〜約−２７℃の沸点を有する。特定の他の好ましい態様では、本発明の組成物は約−２０℃±２℃、より好ましくは約−２０℃±１℃の沸点を有する。さらに、特定の好ましい態様では、本発明のＨＦＯ−１２２５組成物は実質的に均質な共沸様組成物である。
【００１２】
ＨＦＯ−１２２５／ＨＦＯ−１２４３ｚｆ
本発明の特定の好ましい態様は、ＨＦＯ−１２２５およびＨＦＯ−１２４３ｚｆを含む共沸様組成物を提供する。好ましくは、本発明の新規な共沸様組成物は有効量のＨＦＯ−１２２５およびＨＦＯ−１２４３ｚｆを含む。本明細書中で用いる「有効量」とは、他の成分（単独または複数）と組み合わせたときに、本発明の共沸様組成物が結果として形成される各成分の量を意味する。これらの態様は、０より多く約５０重量％までのＨＦＯ−１２２５および約５０重量％から１００重量％未満までのＨＦＯ−１２４３ｚｆ、好ましくは０より多く約２５重量％までのＨＦＯ−１２２５および約７５重量％から１００重量％未満までのＨＦＯ−１２４３ｚｆ、より好ましくは約１から約２０重量％までのＨＦＯ−１２２５および約８０重量％から約９９重量％までのＨＦＯ−１２４３ｚｆを含む、好ましくは本質的にこれらからなる、共沸様組成物を提供するのが好ましい。
【００１３】
本発明のＨＦＯ−１２２５／ＨＦＯ−１２４３ｚｆ組成物は、約１４ｐｓｉａで、約−２５℃±３℃の沸点を有するのが好ましい。特定の態様では、組成物は、約１４ｐｓｉａで、好ましくは約−２５℃±２℃の沸点を有する。
【００１４】
本発明の特定の好ましいＨＦＯ−１２２５／ＨＦＯ−１２４３ｚｆ組成物は、有効量のＨＦＯ−１２２５ｙｅ（Ｅ異性体「Ｅ−ＨＦＯ−１２２５ｙｅ」、Ｚ異性体「Ｚ−ＨＦＯ−１２２５ｙｅ」、またはそれらの組み合わせ「Ｅ／Ｚ−ＨＦＯ−１２２５ｙｅ」のいずれか）およびＨＦＯ−１２４３ｚｆを含むか、または本質的にこれらからなる、共沸様組成物を含む。そのような態様は、０より多く約５０重量％までのＨＦＯ−１２２５ｙｅおよび約５０重量％から１００重量％未満までのＨＦＯ−１２４３ｚｆ、好ましくは０より多く約２５重量％までのＨＦＯ−１２２５ｙｅおよび約７５重量％から１００重量％未満までのＨＦＯ−１２４３ｚｆ、より好ましくは約１から約２０重量％までのＨＦＯ−１２２５ｙｅおよび約８０重量％から約９９重量％までのＨＦＯ−１２４３ｚｆ、さらにより好ましくは約１から約１５重量％までのＨＦＯ−１２２５ｙｅおよび約８５重量％から約９９重量％までのＨＦＯ−１２４３ｚｆを含む、好ましくは本質的にこれらからなる、共沸様組成物を提供するのが好ましい。
【００１５】
特定の好ましい態様では、本発明のＨＦＯ−１２２５ｙｅ／ＨＦＯ−１２４３ｚｆ組成物は、Ｚ−ＨＦＯ−１２２５ｙｅおよびＨＦＯ−１２４３ｚｆまたはＥ／Ｚ−ＨＦＯ−１２２５ｙｅおよびＨＦＯ−１２４３ｚｆを含むか、または本質的にこれらからなる。特定のより好ましい態様では、本発明のＨＦＯ−１２２５ｙｅ／ＨＦＯ−１２４３ｚｆ組成物は、Ｚ−ＨＦＯ−１２２５ｙｅおよびＨＦＯ−１２４３ｚｆを含むか、または本質的にこれらからなる。
【００１６】
好ましくは、本発明のＨＦＯ−１２２５ｙｅ／ＨＦＯ−１２４３ｚｆ組成物は、約１４．４ｐｓｉａで、約−２４℃〜約−２８℃、好ましくは約−２５℃〜約−２８℃、より好ましくは約−２６℃〜約−２８℃の沸点を有する。
【００１７】
特定の他の好ましい本発明のＨＦＯ−１２２５／ＨＦＯ−１２４３ｚｆ組成物は、有効量のＨＦＯ−１２２５ｚｃおよびＨＦＯ−１２４３ｚｆを含むか、または本質的にこれらからなる共沸様組成物を含む。そのような態様は、０より多く約５０重量％までのＨＦＯ−１２２５ｚｃおよび約５０重量％から１００重量％未満までのＨＦＯ−１２４３ｚｆ、好ましくは０より多く約４０重量％までのＨＦＯ−１２２５ｚｃおよび約６０重量％から１００重量％未満までのＨＦＯ−１２４３ｚｆ、より好ましくは約１から約２０重量％までのＨＦＯ−１２２５ｚｃおよび約８０重量％から約９９重量％までのＨＦＯ−１２４３ｚｆ、さらにより好ましくは約３から約２０重量％までのＨＦＯ−１２２５ｚｃおよび約８０重量％から９７重量％までのＨＦＯ−１２４３ｚｆを含む、好ましくは本質的にこれらからなる、共沸様組成物を提供するのが好ましい。
【００１８】
好ましくは、本発明のＨＦＯ−１２２５ｚｃ／ＨＦＯ−１２４３ｚｆ組成物は、約１４ｐｓｉａで、約−２３℃〜約−２７℃、好ましくは約−２３℃〜約−２６℃、より好ましくは約−２４℃〜約−２６℃の沸点を有する。
【００１９】
ＨＦＯ−１２２５／ＨＦＣ−１５２ａ
特定の他の好ましい態様では、本発明は、ＨＦＯ−１２２５およびＨＦＣ−１５２ａを含む共沸様組成物を提供する。好ましくは、そのような本発明の新規な共沸様組成物は有効量のＨＦＯ−１２２５およびＨＦＣ−１５２ａを含むか、または本質的にこれらからなる。これらの態様は、０より多く約９９重量％までのＨＦＯ−１２２５および約１重量％から１００重量％未満までのＨＦＣ−１５２ａ、より好ましくは０より多く約７５重量％までのＨＦＯ−１２２５および約２５重量％から１００重量％未満までのＨＦＣ−１５２ａ、さらにより好ましくは約２重量％から約６０重量％までのＨＦＯ−１２２５および約４０重量％から９８重量％までのＨＦＣ−１５２ａを含む、好ましくは本質的にこれらからなる、共沸様組成物を提供するのが好ましい。他の好ましい組成物は、約５重量％から約９０重量％までのＨＦＯ−１２２５および約１０重量％から約９５重量％までのＨＦＣ−１５２ａを含むか、または本質的にこれらからなる。
【００２０】
好ましくは、本発明のＨＦＯ−１２２５／ＨＦＣ−１５２ａ組成物は、約１４ｐｓｉａで、約−２１℃〜約−２６℃の沸点を有する。
本発明の特定の好ましいＨＦＯ−１２２５／ＨＦＣ−１５２ａ組成物は、有効量のＨＦＯ−１２２５ｙｅ（Ｅ、Ｚ、またはＥ／Ｚ）およびＨＦＣ−１５２ａを含むか、または本質的にこれらからなる。そのような態様は、０より多く約７５重量％までのＨＦＯ−１２２５ｙｅおよび約２５重量％から１００重量％未満までのＨＦＣ−１５２ａ、より好ましくは０より多く約６０重量％までのＨＦＯ−１２２５ｙｅおよび約４０重量％から１００重量％未満までのＨＦＣ−１５２ａ、さらにより好ましくは０より多く約４０重量％までのＨＦＯ−１２２５ｙｅおよび約６０重量％から１００重量％未満までのＨＦＣ−１５２ａ、さらにまたより好ましくは約１から約２５重量％までのＨＦＯ−１２２５ｙｅおよび約７５重量％から約９９重量％までのＨＦＣ−１５２ａを含む、好ましくは本質的にこれらからなる、共沸様組成物を提供するのが好ましい。
【００２１】
特定の好ましい態様では、本発明のＨＦＯ−１２２５ｙｅ／ＨＦＣ−１５２ａ組成物は、Ｚ−ＨＦＯ−１２２５ｙｅおよびＨＦＣ−１５２ａまたはＥ／Ｚ−ＨＦＯ−１２２５ｙｅおよびＨＦＣ−１５２ａを含むか、または本質的にこれらからなる。特定のより好ましい態様では、本発明のＨＦＯ−１２２５ｙｅ／ＨＦＣ−１５２ａ組成物は、Ｚ−ＨＦＯ−１２２５ｙｅおよびＨＦＣ−１５２ａを含むか、または本質的にこれらからなる。
【００２２】
好ましくは、本発明のＨＦＯ−１２２５ｙｅ／ＨＦＣ−１５２ａ組成物は、約１４ｐｓｉａで、約−２３℃±２℃、好ましくは約−２３℃±１℃の沸点を有する。
本発明は、ＨＦＯ−１２２５ｚｃおよびＨＦＣ−１５２ａを含む特定の他の好ましい共沸様組成物を提供する。そのような組成物は、０より多く約９９重量％までのＨＦＯ−１２２５ｚｃおよび約１重量％から１００重量％未満までのＨＦＣ−１５２ａ、より好ましくは約１０重量％から約９９重量％までのＨＦＯ−１２２５ｚｃおよび約１重量％から約９０重量％までのＨＦＣ−１５２ａ、さらにより好ましくは約１０重量％から約６０重量％までのＨＦＯ−１２２５ｚｃおよび約９０重量％から約４０重量％までのＨＦＣ−１５２ａ、さらにまたより好ましくは約１０重量％から約５０重量％までのＨＦＯ−１２２５ｚｃおよび約９０重量％から約５０重量％までのＨＦＣ−１５２ａを含むか、または本質的にこれらからなるのが好ましい。
【００２３】
好ましくは、本発明のＨＦＯ−１２２５ｚｃ／ＨＦＣ−１５２ａ組成物は、約１４ｐｓｉａで、約−２４℃±２℃、好ましくは約−２４℃±１℃の沸点を有する。
ＨＦＯ−１２２５／ＨＦＯ−１２３４ｚｅ
特定の他の好ましい態様では、本発明は、ＨＦＯ−１２２５およびＨＦＯ−１２３４ｚｅを含む共沸様組成物を提供する。好ましくは、そのような新規な本発明の共沸様組成物は有効量のＨＦＯ−１２２５およびＨＦＯ−１２３４ｚｅを含むか、あるいは本質的にこれらからなる。これらの態様では、約１重量％から約９９重量％までのＨＦＯ−１２２５および約１重量％から約９９重量％までのＨＦＯ−１２３４ｚｅ、より好ましくは約２５重量％から約９９重量％までのＨＦＯ−１２２５および約１重量％から約７５重量％までのＨＦＯ−１２３４ｚｅ、さらにより好ましくは約３０重量％から約９０重量％までのＨＦＯ−１２２５および約１０重量％から約７０重量％までのＨＦＯ−１２３４ｚｅ、さらにまたより好ましくは約５０重量％から約９０重量％までのＨＦＯ−１２２５および約１０重量％から約５０重量％までのＨＦＯ−１２３４ｚｅを含む、好ましくは本質的にこれらからなる、共沸様組成物を提供するのが好ましい。
【００２４】
好ましくは、本発明のＨＦＯ−１２２５／ＨＦＯ−１２３４ｚｅ組成物は、約１４．４０ｐｓｉａで、約−２０℃±２℃、好ましくは約−２０℃±１℃の沸点を有する。
本発明の特定の好ましいＨＦＯ−１２２５／ＨＦＯ−１２３４ｚｅ組成物は、有効量のＨＦＯ−１２２５ｙｅ（Ｅ、Ｚ、またはＥ／Ｚ異性体）およびＨＦＯ−１２３４ｚｅを含むか、あるいは本質的にこれらからなる、共沸様組成物を含む。そのような態様は、約１重量％から約９９重量％までのＨＦＯ−１２２５ｙｅおよび約１重量％から約９９重量％までのＨＦＯ−１２３４ｚｅ、より好ましくは約２５重量％から約９９重量％までのＨＦＯ−１２２５ｙｅおよび約１重量％から約７５重量％までのＨＦＯ−１２３４ｚｅ、さらにより好ましくは約３０重量％から約９０重量％までのＨＦＯ−１２２５ｙｅおよび約１０重量％から約７０重量％までのＨＦＯ−１２３４ｚｅ、さらにまたより好ましくは約５０重量％から約９０重量％までのＨＦＯ−１２２５ｙｅおよび約１０重量％から約５０重量％までのＨＦＯ−１２３４ｚｅを含む、好ましくは本質的にこれらからなる、共沸様組成物を提供するのが好ましい。
【００２５】
特定の好ましい態様では、本発明のＨＦＯ−１２２５ｙｅ／ＨＦＯ−１２３４ｚｅ組成物は、Ｚ−ＨＦＯ−１２２５ｙｅおよびＨＦＯ−１２３４ｚｅまたはＥ／Ｚ−ＨＦＯ−１２２５ｙｅおよびＨＦＯ−１２３４ｚｅを含むか、あるいは本質的にこれらからなる。特定のより好ましい態様では、本発明のＨＦＯ−１２２５ｙｅ／ＨＦＯ−１２３４ｚｅ組成物は、Ｚ−ＨＦＯ−１２２５ｙｅおよびＨＦＯ−１２３４ｚｅを含むか、あるいは本質的にこれらからなる。
【００２６】
好ましくは、本発明のＨＦＯ−１２２５ｙｅ／ＨＦＯ−１２３４ｚｅ組成物は、約１４．４０ｐｓｉａで、約−２０℃±２℃、好ましくは約−２０℃±１℃の沸点を有する。
組成物の使用
本発明の組成物は広い範囲の用途において有用性がある。例えば、本発明の１つの態様は、本共沸様組成物を含む冷媒組成物に関する。
【００２７】
本発明の冷媒組成物は、空調、冷蔵、ヒートポンプ、ＨＶＡＣシステム等を含む多種多様な冷凍系のいずれかに用いうる。本発明の好ましい組成物は、従来のＨＦＣ冷媒よりはるかに低いＧＷＰおよびそのような冷媒と同じくらい低いかまたはより低い圧縮機排出温度を含む、ＨＦＣ冷媒の多くの望ましい特性を示す傾向がある。そのうえ、本発明の組成物は、沸騰が比較的一定であるという特性により、多くの用途において冷媒として使用するための特定の従来のＨＦＣよりもさらに望ましいものとなる。
【００２８】
特定の他の態様では、本発明は、本発明の冷媒を含む冷凍系、並びに本発明の組成物を凝縮および／または蒸発することにより加熱または冷却をもたらす方法を提供する。特定の好ましい態様では、本発明にしたがって物品を冷却する方法は、冷却すべき物品の近くで本発明の共沸様組成物を含む冷媒組成物を蒸発させることを含む。物品を加熱するための特定の好ましい方法は、加熱すべき物品の近くで本発明の共沸様組成物を含む冷媒組成物を凝縮することを含む。本明細書中の開示に照らせば、当業者は、過度の実験を行うことなく本発明にしたがって物品を容易に加熱および冷却することができるであろう。
【００２９】
別の態様では、本発明の共沸様組成物は、単独でまたは公知の噴射剤と組み合わせて、噴霧可能な組成物中の噴射剤として用いうる。噴射剤組成物は本発明の共沸様組成物を含み、より好ましくはこれらから本質的になり、さらにより好ましくはこれらからなる。噴霧すべき活性成分は、不活性成分、溶媒および他の物質と共に噴霧可能な混合物中に存在させてもよい。好ましくは、噴霧可能な組成物はエアゾールである。噴霧すべき適する活性物質には、限定されないが、消臭剤、香料、ヘアスプレー、クレンザー、および艶出し剤などの化粧材料、抗ぜん息薬および抗口臭薬などの医療材料が含まれる。
【００３０】
本発明のさらに別の態様は、１種以上の本発明の共沸様組成物を含む発泡剤に関する。他の態様では、本発明は、発泡プレミックス、発泡性組成物、好ましくはポリウレタン、ポリイソシアヌレートおよび熱可塑性発泡組成物、並びに発泡体の製造法を提供する。そのような発泡体態様では、１種以上の本発明の共沸様組成物が、発泡剤として発泡性組成物中に含められる。この組成物は、当技術分野でよく知られているような、適切な条件下で反応および／または発泡して発泡体または気泡構造を形成することができる１種以上の追加成分を含んでいるのが好ましい。当技術分野でよく知られている方法のいずれか（例えば、「Polyurethanes Chemistry and Technology」, 第ＩおよびＩＩ巻、Saunders and Frisch, 1962, John Wiley and Sons, ニューヨーク州ニューヨーク（参照により本明細書中に援用する）に記載されている方法）も、本発明の発泡体態様にしたがって使用のために使用または適合させうる。
【００３１】
さらに、特定の態様では、本発明の発泡剤は熱可塑性発泡体、ポリスチレンおよびポリエチレン発泡体（低密度ポリエチレン発泡体を含む）などの発泡に用いられる。そのような熱可塑性発泡体を発泡させる多様な従来法のうちのいずれかを本明細書中での使用に適合させることができる。
【００３２】
特定の他の好ましい態様では、本発明は流体の引火性を低減する方法を提供し、その方法は、本発明の共沸様組成物を流体に加えることを含む。広い範囲の引火性流体のうち任意のものに付随する引火性を、本発明にしたがって低減する。例えば、酸化エチレン、引火性ハイドロフルオロカーボンおよび炭化水素（ＨＦＣ−１５２ａ、１，１，１−トリフルオロエタン（ＨＦＣ−１４３ａ）、ジフルオロメタン（ＨＦＣ−３２）、プロパン、ヘキサン、オクタン等を含む）のような流体に付随する引火性は本発明により低減することができる。本発明の目的のためには、引火性流体は、ＡＳＴＭ  Ｅ−６８１等のような任意の標準的な慣用的試験法で測定して、空気中で引火範囲を示す任意の流体であることができる。
【００３３】
本発明の共沸様組成物を任意の適する量添加して、本発明にしたがって流体の引火性を低減することができる。当業者には明らかなように、添加量は、少なくともある程度、対象流体の引火性の程度およびその引火性を減じたい程度による。特定の好ましい態様では、引火性流体に加える共沸様組成物の量は、得られる流体を非引火性にするのに効果的な量である。
【００３４】
本発明は火炎を抑制する方法をさらに提供し、その方法は、火炎を本発明の共沸様組成物を含む流体と接触させることを含む。火炎を本発明の組成物と接触させるための任意の適する方法を使用することができる。例えば、本発明の共沸様組成物を火炎に噴霧、注入等をしてもよく、あるいは火炎の少なくとも一部を共沸様組成物に浸してもよい。本明細書中の開示に照らせば、当業者は、火炎を抑制する様々な従来の装置および方法を本発明において使用するために容易に適合させることができるであろう。
【００３５】
さらに、特に医療分野で使用される、多くの物品、装置または材料は、健康および安全（例えば、患者および病院スタッフの健康および安全）のために使用前に滅菌しなければならない。本発明は、滅菌すべき物品、装置または材料を本発明の配合物または組成物と接触させることを含む滅菌法を提供する。そのような方法は高温滅菌法でも低温滅菌法でもよい。特定の態様では、高温滅菌は滅菌すべき物品、装置または材料を、約２５０〜約２７０°Ｆで、好ましくは実質的に密閉したチャンバー内で、本発明の配合物または組成物を含む熱流体にさらすことを含む。その処理は通常約２時間未満で完了させることができる。しかしながら、いくつかの物品、例えばプラスチック製品および電気部品はそのような高温に耐えることはできず、低温滅菌が必要である。
【００３６】
本発明の低温滅菌では、本発明の配合物または組成物を約１００〜約２００°Ｆで用いることを包含する。本発明の配合物は、例えば酸化エチレン（ＥＯ）、ホルムアルデヒド、過酸化水素、二酸化塩素、およびオゾンを含む、他の一般的な化学的滅菌剤と組み合わせて、本発明の滅菌組成物を形成してもよい。
【００３７】
本発明の低温滅菌は、実質的に密閉したチャンバー（好ましくは気密チャンバー）で行われる少なくとも２段階の方法が好ましい。第１段階（滅菌段階）では、清浄にし、ガス透過性バッグに包んだ物品をチャンバー中に置く。次に、真空引きすることにより、あるいは空気を蒸気に置換することにより、空気をチャンバーから排気する。特定の態様では、蒸気をチャンバーに入れて、好ましくは約３０％〜約７０％の相対湿度にするのが好ましい。そのような湿度により、望ましい相対湿度にした後にチャンバーに導入される滅菌剤の滅菌効果を最大にすることができる。滅菌剤が包装を透過し、物品の間隙に達するのに十分な時間の後、滅菌剤および蒸気はチャンバーから排気される。
【００３８】
この方法の好ましい第２段階（曝気段階）では、物品を空気に曝して滅菌剤残留物を除く。そのような残留物の除去は、本発明の実質的に非毒性の配合物を用いる場合は任意であるが、毒性滅菌剤の場合は特に重要である。典型的な曝気処理には、空気洗浄、連続曝気、およびこれら２つの組み合わせが含まれる。空気洗浄はバッチ操作であり、通常は、比較的短時間、例えば１２分間チャンバーを排気し、次いで、大気圧以上で空気をチャンバーに導入することを含む。滅菌剤が希望通りに除去されるまで、このサイクルを何回か繰り返す。連続曝気には、典型的には、空気をチャンバーの一方の側にある入口から導入し、そしてそれをチャンバーの他方の側の出口から、出口をわずかに真空にすることによって引き出すことを包含する。しばしば、２つの方法が組み合わせられる。例えば、一般的な方法は、空気洗浄し、次に曝気サイクルを包含する。
【００３９】
本発明の共沸様組成物の他の使用には、溶媒、洗浄剤等としての使用も含まれる。当業者であれば、過度の実験を行うことなくそのような用途において使用するため、本発明の組成物を容易に適合させることができるであろう。
【００４０】
実施例
本発明を次の実施例でさらに説明する。これらの実施例は説明のためのものであり、本発明を限定するものではない。
【００４１】
実施例１〜１５では、Swietolslowskiの「Ebulliometric Measurements」(Reinhold, 1945)に記載のような沸点測定器を用いた。
実施例１
頂部に石英温度計を取り付けた凝縮器を備えた真空ジャケット付き管からなる上記のような沸点測定器を用いる。ＨＦＯ−１２４３ｚｆを約２６ｇ沸点測定器に入れ、次にＺ−ＨＦＯ−１２２５ｙｅを少しずつ計量しながら加える。温度降下は、Ｚ−ＨＦＯ−１２２５ｙｅをＨＦＯ−１２４３ｚｆに加えて、最小沸騰共沸混合物の形成が示されたときに観察される。表１に示すように、Ｚ−ＨＦＯ−１２２５ｙｅが約０より多く約２５重量％までで、組成物の沸点の変化は約１℃以内であった。
【００４２】
【表１】
2006503961.tif 000002
【００４３】
実施例２
頂部に石英温度計を取り付けた凝縮器を備えた真空ジャケット付き管からなる上記のような沸点測定器を用いる。ＨＦＯ−１２４３ｚｆを約２６ｇ沸点測定器に入れ、次にＥ−ＨＦＯ−１２２５ｙｅを少しずつ計量しながら加える。温度降下は、Ｅ−ＨＦＯ−１２２５ｙｅをＨＦＯ−１２４３ｚｆに加えて、最小沸騰共沸混合物の形成が示されたときに観察される。
【００４４】
実施例３
頂部に石英温度計を取り付けた凝縮器を備えた真空ジャケット付き管からなる上記のような沸点測定器を用いる。ＨＦＯ−１２４３ｚｆを約２６ｇ沸点測定器に入れ、次にＥ／Ｚ−ＨＦＯ−１２２５ｙｅを少しずつ計量しながら加える。温度降下は、Ｅ／Ｚ−ＨＦＯ−１２２５ｙｅをＨＦＯ−１２４３ｚｆに加えて、最小沸騰共沸混合物の形成が示されたときに観察される。
【００４５】
実施例４
頂部に石英温度計を取り付けた凝縮器を備えた真空ジャケット付き管からなる上記のような沸点測定器を用いる。ＨＦＯ−１２４３ｚｆを約１８ｇ沸点測定器に入れ、次にＨＦＯ−１２２５ｚｃを少しずつ計量しながら加える。温度降下は、ＨＦＯ−１２２５ｚｃをＨＦＯ−１２４３ｚｆに加えて、最小沸騰共沸混合物の形成が示されたときに観察される。表２に示すように、ＨＦＯ−１２２５ｚｃが約０より多く約４０重量％までで、組成物の沸点の変化は約１℃以内であった。
【００４６】
【表２】
2006503961.tif 000003
【００４７】
実施例５
頂部に石英温度計を取り付けた凝縮器を備えた真空ジャケット付き管からなる上記のような沸点測定器を用いる。ＨＦＯ−１２４３ｚｆを約２６ｇ沸点測定器に入れ、次にＨＦＯ−１２２５ｙｃを少しずつ計量しながら加える。温度降下は、ＨＦＯ−１２２５ｙｃをＨＦＯ−１２４３ｚｆに加えて、最小沸騰共沸混合物の形成が示されたときに観察される。
【００４８】
実施例６
頂部に石英温度計を取り付けた凝縮器を備えた真空ジャケット付き管からなる上記のような沸点測定器を用いる。ＨＦＣ−１５２ａを約１５ｇ沸点測定器に入れ、次にＺ−ＨＦＯ−１２２５ｙｅを少しずつ計量しながら加える。温度降下は、Ｚ−ＨＦＯ−１２２５ｙｅをＨＦＣ−１５２ａに加えて、最小沸騰共沸混合物の形成が示されたときに観察される。表３に示すように、Ｚ−ＨＦＯ−１２２５ｙｅが０より多く約５３重量％までで、組成物の沸点の変化は約１℃以内であった。
【００４９】
【表３】
2006503961.tif 000004
【００５０】
実施例７
頂部に石英温度計を取り付けた凝縮器を備えた真空ジャケット付き管からなる上記のような沸点測定器を用いる。ＨＦＣ−１５２ａを約１５ｇ沸点測定器に入れ、次にＥ−ＨＦＯ−１２２５ｙｅを少しずつ計量しながら加える。温度降下は、Ｅ−ＨＦＯ−１２２５ｙｅをＨＦＣ−１５２ａに加えて、最小沸騰共沸混合物の形成が示されたときに観察される。
【００５１】
実施例８
頂部に石英温度計を取り付けた凝縮器を備えた真空ジャケット付き管からなる上記のような沸点測定器を用いる。ＨＦＣ−１５２ａを約１５ｇ沸点測定器に入れ、次にＥ／Ｚ−ＨＦＯ−１２２５ｙｅを少しずつ計量しながら加える。温度降下は、Ｅ／Ｚ−ＨＦＯ−１２２５ｙｅをＨＦＣ−１５２ａに加えて、最小沸騰共沸混合物の形成が示されたときに観察される。
【００５２】
実施例９
頂部に石英温度計を取り付けた凝縮器を備えた真空ジャケット付き管からなる上記のような沸点測定器を用いる。ＨＦＣ−１５２ａを約１５ｇ沸点測定器に入れ、次にＨＦＯ−１２２５ｚｃを少しずつ計量しながら加える。温度降下は、ＨＦＯ−１２２５ｚｃをＨＦＣ−１５２ａに加えて、最小沸騰共沸混合物の形成が示されたときに観察される。表４に示すように、ＨＦＯ−１２２５ｚｃが約０より多く約６０重量％までで、組成物の沸点の変化は約２℃以内であった。
【００５３】
【表４】
2006503961.tif 000005
【００５４】
実施例１０
頂部に石英温度計を取り付けた凝縮器を備えた真空ジャケット付き管からなる上記のような沸点測定器を用いる。ＨＦＣ−１５２ａを約１５ｇ沸点測定器に入れ、次にＨＦＯ−１２２５ｙｃを少しずつ計量しながら加える。温度降下は、ＨＦＯ−１２２５ｙｃをＨＦＣ−１５２ａに加えて、最小沸騰共沸混合物の形成が示されたときに観察される。
【００５５】
実施例１１
頂部に石英温度計を取り付けた凝縮器を備えた真空ジャケット付き管からなる上記のような沸点測定器を用いる。Ｚ−ＨＦＯ−１２２５ｙｅを約２１ｇ沸点測定器に入れ、次にＨＦＯ−１２３４ｚｅを少しずつ計量しながら加える。温度降下は、ＨＦＯ−１２３４ｚｅをＺ−ＨＦＯ−１２２５ｙｅに加えて、最小沸騰共沸混合物の形成が示されたときに観察される。表５に示すように、Ｚ−ＨＦＯ−１２２５ｙｅが約５０重量％を越え約１００重量％までで、組成物の沸点の変化は約１℃以内であった。
【００５６】
【表５】
2006503961.tif 000006
【００５７】
実施例１２
頂部に石英温度計を取り付けた凝縮器を備えた真空ジャケット付き管からなる上記のような沸点測定器を用いる。Ｅ−ＨＦＯ−１２２５ｙｅを約２１ｇ沸点測定器に入れ、次にＨＦＯ−１２３４ｚｅを少しずつ計量しながら加える。温度降下は、ＨＦＯ−１２３４ｚｅをＥ−ＨＦＯ−１２２５ｙｅに加えて、最小沸騰共沸混合物の形成が示されたときに観察される。
【００５８】
実施例１３
頂部に石英温度計を取り付けた凝縮器を備えた真空ジャケット付き管からなる上記のような沸点測定器を用いる。Ｅ／Ｚ−ＨＦＯ−１２２５ｙｅを約２１ｇ沸点測定器に入れ、次にＨＦＯ−１２３４ｚｅを少しずつ計量しながら加える。温度降下は、ＨＦＯ−１２３４ｚｅをＥ／Ｚ−ＨＦＯ−１２２５ｙｅに加えて、最小沸騰共沸混合物の形成が示されたときに観察される。
【００５９】
実施例１４
頂部に石英温度計を取り付けた凝縮器を備えた真空ジャケット付き管からなる上記のような沸点測定器を用いる。ＨＦＯ−１２２５ｚｃを約２１ｇ沸点測定器に入れ、次にＨＦＯ−１２３４ｚｅを少しずつ計量しながら加える。温度降下は、ＨＦＯ−１２３４ｚｅをＨＦＯ−１２２５ｚｃに加えて、最小沸騰共沸混合物の形成が示されたときに観察される。
【００６０】
実施例１５
頂部に石英温度計を取り付けた凝縮器を備えた真空ジャケット付き管からなる上記のような沸点測定器を用いる。ＨＦＯ−１２２５ｙｃを約２１ｇ沸点測定器に入れ、次にＨＦＯ−１２３４ｚｅを少しずつ計量しながら加える。温度降下は、ＨＦＯ−１２３４ｚｅをＨＦＯ−１２２５ｙｃに加えて、最小沸騰共沸混合物の形成が示されたときに観察される。
【００６１】
実施例１６〜３３
これらの実施例は、一定の沸点で沸騰する本発明のブレンドが、特定の冷凍サイクルにおいて現在用いられている他の冷媒と比較したとき、特定の利点を有することを示す。
【００６２】
具体的な運転条件での冷媒の理論的性能は、標準的な冷凍サイクル分析法を用いて、冷媒の熱力学的性質から見積もることができる：例えば、R. C. Downing, FLUOROCARBON REFRIGERANTS HANDBOOK, Chapter 3, Prentice-Hall, 1988参照。性能係数（ＣＯＰ）は、冷媒の蒸発または凝縮にかかわる具体的な加熱または冷凍サイクルにおける冷媒の相対的な熱力学的効率を表すのに特に有用な、一般に受け入れられている基準である。冷凍工学では、この用語は、有効冷却の、蒸気を圧縮する際に圧縮機によって加えられるエネルギーに対する比を表す。冷媒の能力は、冷媒が提供する冷却または加熱量を表す。圧縮機技術者にとって、この値は、冷媒の所与の容積流量に対して熱量を送る圧縮機の能力を表す。換言すると、特定の圧縮機が与えられたとき、より高い能力を有する冷媒はより多くの冷却または加熱力を出す。
【００６３】
この種の計算は、凝縮器温度が典型的に１５０°Ｆ、蒸発器温度が典型的に−３５°Ｆである場合の冷凍／空調系について行われる。等エントロピー圧縮および４５°Ｆの圧縮機入口温度を適用することもさらに想定される。そのような計算は、ＨＦＯ−１２２５およびＨＦＣ−１５２ａまたはＨＦＯ−１２４３ｚｆの様々な組み合わせについて行われる。以下の表６および７に、一般に用いられる従来の冷媒である１，１，１，２−テトラフルオロエタン（ＨＦＣ−１３４ａ）と比べた、凝縮器温度および蒸発器温度の範囲にわたる各種ブレンドのＣＯＰおよび能力を示す。
【００６４】
【表６】
2006503961.tif 000007
【００６５】
【表７】
2006503961.tif 000008
【手続補正書】
【提出日】平成17年8月16日(2005.8.16)
【手続補正１】
【補正対象書類名】特許請求の範囲
【補正対象項目名】全文
【補正方法】変更
【補正の内容】
【特許請求の範囲】
【請求項１】
０より多く約９９重量％までのＨＦＯ−１２２５と、約１重量％から１００重量％未満のＨＦＯ−１２４３ｚｆ、ＨＦＣ−１５２ａ、ＨＦＯ−１２３４ｚｅおよびそれらの２つ以上の組み合わせよりなる群から選択される流体とを含む共沸様組成物。
【請求項２】
０より多く約７５重量％までのＨＦＯ−１２２５と、約２５重量％から１００重量％未満のＨＦＯ−１２４３ｚｆ、ＨＦＣ−１５２ａ、ＨＦＯ−１２３４ｚｅおよびそれらの２つ以上の組み合わせよりなる群から選択される流体とを含む、請求項１に記載の共沸様組成物。
【請求項３】
約５重量％から約９０重量％までのＨＦＯ−１２２５と、約１０重量％から約９０重量％までのＨＦＯ−１２４３ｚｆ、ＨＦＣ−１５２ａ、ＨＦＯ−１２３４ｚｅおよびそれらの２つ以上の組み合わせよりなる群から選択される流体とを含む、請求項１に記載の共沸様組成物。
【請求項４】
共沸様組成物が約１４ｐｓｉａで約−１８℃〜約−２８℃の沸点を有する、請求項１に記載の共沸様組成物。
【請求項５】
共沸様組成物が約１４ｐｓｉａで約−２１℃〜約−２６℃の沸点を有する、請求項１に記載の共沸様組成物。
【請求項６】
共沸様組成物が約１４ｐｓｉａで約−２０℃±２℃の沸点を有する、請求項４に記載の共沸様組成物。
【請求項７】
０より多く約２５重量％までのＨＦＯ−１２２５および約７５重量％から１００重量％未満のＨＦＯ−１２４３ｚｆを含む、請求項１に記載の共沸様組成物。
【請求項８】
約１重量％から約２０重量％までのＨＦＯ−１２２５および約８０重量％から約９９重量％までのＨＦＯ−１２４３ｚｆを含む、請求項７に記載の共沸様組成物。
【請求項９】
共沸様組成物が約１４．４ｐｓｉａで約−２４℃〜約−２８℃の沸点を有する、請求項８に記載の共沸様組成物。
【請求項１０】
共沸様組成物が約１４ｐｓｉａで約−２３℃〜約−２７℃の沸点を有する、請求項１に記載の共沸様組成物。
【請求項１１】
ＨＦＯ−１２２５ｙｅがＺ−ＨＦＯ−１２２５ｙｅを含む、請求項１０に記載の共沸様組成物。
【請求項１２】
ＨＦＯ−１２２５ｙｅがＥ−ＨＦＯ−１２２５ｙｅを含む、請求項１０に記載の共沸様組成物。
【請求項１３】
ＨＦＯ−１２２５ｙｅがＥ／Ｚ−ＨＦＯ−１２２５ｙｅを含む、請求項１０に記載の共沸様組成物。
【請求項１４】
有効量のＨＦＯ−１２２５及びＨＦＯ−１２３４ｚｅを含む共沸様組成物。
【請求項１５】
約１重量％から約１００重量％未満のＨＦＯ−１２３４ｚｅを含む、請求項１４に記載の共沸様組成物。
【請求項１６】
約１重量％から約７５重量％までのＨＦＯ−１２３４ｚｅを含む、請求項１５に記載の共沸様組成物。
【請求項１７】
約１０重量％から約９０重量％までのＨＦＯ−１２３４ｚｅを含む、請求項１５に記載の共沸様組成物。
【請求項１８】
共沸様組成物が約１４ｐｓｉａで約−２０℃±２℃の沸点を有する、請求項１７に記載の共沸様組成物。
【請求項１９】
ＨＦＯ−１２２５がＨＦＯ−１２２５ｙｅである、請求項１７に記載の共沸様組成物。
【請求項２０】
ＨＦＯ−１２２５ｙｅがＺ−ＨＦＯ−１２２５ｙｅを含む、請求項１７に記載の共沸様組成物。
【請求項２１】
ＨＦＯ−１２２５ｙｅがＥ−ＨＦＯ−１２２５ｙｅを含む、請求項１７に記載の共沸様組成物。
【請求項２２】
ＨＦＯ−１２２５ｙｅがＥ／Ｚ−ＨＦＯ−１２２５ｙｅを含む、請求項１７に記載の共沸様組成物。
【請求項２３】
ＨＦＯ−１２２５がＨＦＯ−１２２５ｙｃである、請求項１７に記載の共沸様組成物。
【請求項２４】
請求項１に記載の共沸様組成物を含む冷媒組成物。
【請求項２５】
請求項２４に記載の冷媒を含む冷凍系。
【請求項２６】
冷却すべき物品の近くで請求項２４に記載の冷媒組成物を蒸発させることを含む、物品を冷却するための方法。
【請求項２７】
加熱すべき物品の近くで請求項２４に記載の冷媒組成物を凝縮させることを含む、物品を加熱するための方法。
【請求項２８】
噴霧すべき物質、および請求項１に記載の共沸様組成物を含む噴射剤を含む、噴霧可能な組成物。
【請求項２９】
請求項１に記載の共沸様組成物を含む発泡剤。
【請求項３０】
請求項１に記載の共沸様組成物を含む発泡剤の存在下でのポリマー発泡体形成により調製された独立気泡フォーム。
【請求項３１】
請求項１に記載の共沸様組成物を流体に加えることを含む、流体の引火性を低減する方法。
【請求項３２】
火炎を、請求項１に記載の共沸様組成物を含む流体と接触させることを含む、火炎を抑制する方法。
【請求項３３】
滅菌すべき物品を請求項１に記載の共沸様組成物を含む組成物と接触させることを含む、物品を滅菌する方法。
【請求項３４】
発泡性組成物に、請求項１に記載の共沸様組成物を含む発泡剤を加えることを含む、発泡体を形成する方法。
【請求項３５】
発泡剤が請求項１に記載の共沸様組成物を含む、ポリオールおよび発泡剤のプレミックス。
【請求項３６】
請求項１４に記載の共沸様組成物を含む冷媒組成物。
【請求項３７】
請求項３６に記載の冷媒組成物を含む冷凍系。
【国際調査報告】
2006503961.tif 000009